(57)【特許請求の範囲】
【請求項１】
内部空間が変化するクラブカバーであって、
前記クラブカバーは、上部にクラブヘッドの収納されるヘッド収納空間が形成され、中間から下部まではクラブヘッドの出入りする胴体部が形成され、前記胴体部の内部には、クラブヘッドが容易に通過するように広く構成された出し入れ空間部が備えられ、
前記胴体部は、胴体前面、胴体後面、及び前記胴体前面と前記胴体後面との間に設けられた胴体側面とから構成され、
クラブヘッドの出し入れの際に前記胴体前面と胴体後面に広げられる方向に外力を加えると、前記胴体側面が伸びて前記出し入れ空間部が広くなるように作動して、前記胴体前面と前記胴体後面とが互いに離隔し、
クラブヘッドの収納の際に前記胴体部を狭くなるように押すと、前記胴体側面が折り畳まれて前記出し入れ空間部が狭くなるように作動して、前記胴体前面と前記胴体後面とが互いに近接することを特徴とする、内部空間が変化するクラブカバー。
【請求項２】
内部空間が変化するクラブカバーであって、
前記クラブカバーは、上部にクラブヘッドの収納されるヘッド収納空間が形成され、中間から下部まではクラブヘッドの出入りする胴体部が形成され、前記胴体部の内部には、クラブヘッドが容易に通過するように広く構成された出し入れ空間部が備えられ、
前記胴体部は、胴体前面、胴体後面、及び前記胴体前面と前記胴体後面との間に設けられた胴体側面とから構成され、前記胴体側面が伸びたり折り畳まれたりしながら、前記出し入れ空間部が狭くまたは広くなるように作動して、前記胴体前面と前記胴体後面とが互いに近接または離隔し、
前記胴体部の胴体前面と胴体側面との連結部、及び前記胴体後面と胴体側面との連結部にはパイピング部が形成され、
前記パイピング部の一部区間に磁石が挿入されるか、或いは磁石ポケットが付着しており、前記磁石ポケットは、その一部としてポケットが形成されてぶら下がりその内部に磁石が収納されていることを特徴とする、内部空間が変化するクラブカバー。
【請求項３】
前記磁石ポケットは、下部からクラブヘッドの位置する上部へ上がるほど前記磁石ポケットと前記パイピング部との間隔が広く傾斜するように延びて付着しているか、或いは、
前記磁石ポケットは、下部および中間でそれぞれ離隔するように付着していることを特徴とする、請求項２に記載の内部空間が変化するクラブカバー。
【請求項４】
前記パイピング部の中間には前記磁石ポケットが付着し、前記パイピング部の下部には磁石が挿入されたことを特徴とする、請求項２に記載の内部空間が変化するクラブカバー。
【請求項５】
前記パイピング部の一部分に挿入される磁石または磁石ポケットの代わりに、互いに着脱可能に結合される連結手段が使用されることを特徴とする、請求項２に記載の内部空間が変化するクラブカバー。
【請求項６】
前記胴体側面は部分的に切り取られている切取り部が形成されたことを特徴とする、請求項１または２に記載の内部空間が変化するクラブカバー。
【請求項７】
前記胴体前面、前記胴体後面及び前記胴体側面の磁石ポケットが設置された部分にはハンドルが設置されたことを特徴とする、請求項２に記載の内部空間が変化するクラブカバー。
【請求項８】
前記胴体側面は、部分的に切り取られている切取り部の上部に切開部が形成されたことを特徴とする、請求項６に記載の内部空間が変化するクラブカバー。
【請求項９】
前記胴体側面の切取り部上には伸縮可能なスパン織物類が付着しており、前記胴体前面と前記胴体後面の下部が上部よりも広く拡張または収縮されて前記胴体前面と前記胴体後面との間隔が変化することを特徴とする、請求項６または８に記載の内部空間が変化するクラブカバー。
【発明の詳細な説明】
【技術分野】
【０００１】
本発明は、ゴルフクラブヘッド（以下、「クラブヘッド」という）を出し入れするための出し入れ空間が伸縮できるように内部空間が変化するクラブカバーに係り、より具体的には、クラブヘッドを保護するためにクラブカバーの内部にクラブヘッドが挿入されている場合には、胴体部の胴体前後面が近接している状態でクラブヘッドが入っており、クラブヘッドを取り出そうとする場合には、胴体部の胴体前後面が離隔するように広げられることにより、容易にクラブヘッドが引き出されて簡単にクラブヘッドの取出し及び収納が可能であり、クラブヘッドを損傷することなく安全に保管することができる、内部空間が変化するクラブカバーに関する。
【背景技術】
【０００２】
一般に、ゴルフクラブの中でも「ドライバクラブ」として使用されるゴルフクラブのヘッドの大きさは、従来では３００ｃｃ程度の空間を有するサイズであったが、クラブヘッドのサイズが次第に大きくなり、最近では５００ｃｃ程度の空間を有するサイズに大型化してきている。しかし、クラブヘッドの表面を保護するために使用されるクラブカバーは、伸縮性の良いニット製品などの素材を使用する場合には３５０ｃｃ程度のサイズまでは使用が可能であったが、クラブヘッドの空間が５００ｃｃまで大型化されつつある現在では使用できないため、ニット製品などのクラブカバーは多く使用されていない。
【０００３】
したがって、現在では、一般織物または合成樹脂皮革で縫製されてクラブヘッドに被せられるクラブカバーが主に使われている。
【０００４】
このような従来のクラブカバーは、図１に示すように、ゴルフクラブの大きいヘッドを出し入れするためには、ヘッドを十分に出し入れすることができるように、下部に配置されるヘッド出し入れ空間部の大きさがかなり大きいべきなので、このように大きく形成された出し入れ空間部が弛んでしまうから、クラブカバーが被せられた複数のクラブヘッドがゴルフバッグ内に収納される場合、このように弛んでしまったクラブカバーの出し入れ空間部同士に干渉が発生して使用上大変不便になるという問題点があった。出し入れ空間部の上端にクラブヘッドが抜けないようにゴム紐が設けられており、このようなゴム紐によってクラブヘッドの引き込み及び引き出し作業が難しくて時間がかかる不便を経験することが頻繁に発生していた。
【０００５】
また、図２に示すように、従来のクラブカバーＡは、クラブヘッドの出入りする胴体部１２上に蛇腹折曲部１４が形成され、蛇腹折曲部１４の表地１４ａの内側に磁石Ｍが付着して磁石Ｍの着脱によってゴルフクラブの出し入れ空間部１３が広くまたは狭くなる構造が提案されたが、前記クラブカバーＡは、磁石Ｍが蛇腹折曲部１４の内側面に付着するので、互いに隣接する磁石Ｍの吸着時に磁石Ｍが蛇腹折曲部１４の表地１４ａの内側に配置されており、前記表地１４ａとして厚い材質が使用される場合には、磁石間の距離が遠くなるように形成されているので、磁石Ｍ同士の吸引力が十分に発揮しなくなる。そして、磁石Ｍと磁石Ｍとの間の表地１４ａとして厚い材質が使用されるので、磁石同士の吸引力が弱化し、このような吸引力を増大させるために多くの磁石を使用しなければならないので、コストアップの要因となり、クラブカバーＡの胴体部１２の側面の蛇腹折曲部１４上に形成された離隔距離Ｗによる空間が大きくなってその空間に異物が流入するという問題点もあった。
【先行技術文献】
【特許文献】
【０００６】
【特許文献１】韓国特許登録第１０−１７５７２６１号明細書
【特許文献２】韓国特許登録第１０−０９５８５２６号明細書
【特許文献３】韓国特許登録第１０−０４２２１０１号明細書
【発明の概要】
【発明が解決しようとする課題】
【０００７】
本発明は、かかる問題点を解決するためのもので、その目的は、クラブヘッドを保護するためにクラブカバーの内部にクラブヘッドが挿入されている場合には、胴体部の胴体前後面が近接している状態でクラブヘッドが入っており、クラブヘッドを取り出そうとする場合には、胴体部の胴体前後面が離隔するように広げられることにより、容易にクラブヘッドが引き出されて簡単にクラブヘッドの取出し及び収納が可能であり、クラブヘッドを損傷することなく安全に保管することができる、内部空間が変化するクラブカバーを提供することにある。
【課題を解決するための手段】
【０００８】
上記の目的は、上部にクラブヘッドの収納されるヘッド収納空間が形成され、中間から下部まではクラブヘッドの出入りする胴体部が形成され、前記胴体部の内部には、クラブヘッドが容易に通過できるように広く構成された出し入れ空間部が備えられ、前記胴体部は、前記出し入れ空間部が狭くまたは広くなるように作動して胴体前面と胴体後面が互いに近接または離隔する、本発明に係る内部空間が変化するクラブカバーによって達成される。
【発明の効果】
【０００９】
本発明に係る内部空間が変化するクラブカバーは、上部にクラブヘッドの収納されるヘッド収納空間が形成され、中間から下部まではクラブヘッドの出入りする胴体部が形成され、前記胴体部の内部には、クラブヘッドが容易に通過するように広く構成された出し入れ空間部が備えられ、前記胴体部は、胴体前面と胴体後面が狭くまたは広くなるようにする作動を行い、クラブヘッドを保護するためにクラブヘッドにクラブカバーを被せるときや、クラブを使用するためにクラブカバーをクラブヘッドから取り外すときなどのクラブカバーの使用時にさらに便利に使用することができる優れた効果がある。
【図面の簡単な説明】
【００１０】
【図１】従来のクラブカバーの斜視図である。
【図２】従来の他のクラブカバーの斜視図及び概略横断面図である。
【図３】本発明の第１実施形態に係るクラブカバーの正面図である。
【図４】本発明の第１実施形態に係るクラブカバーが拡張されて展開された状態の斜視図である。
【図５】本発明の第１実施形態に係るクラブカバーの胴体部の膨張と収縮状態を示す部分切断正面図である。
【図６】本発明の第１実施形態に係るクラブカバーの胴体部の上部に設置された磁石ポケットの部分切断斜視図である。
【図７】本発明の第１実施形態に係るクラブカバーの胴体部の下部に設置されたパイピング部の磁石の部分切断斜視図である。
【図８】本発明の第１実施形態に係るクラブカバーが収縮された状態と拡張された状態を示す概略縦断面図である。
【図９】本発明の第２実施形態に係るクラブカバーの胴体部の膨張と収縮状態を示す部分切断正面図である。
【図１０】本発明の第３実施形態に係るクラブカバーの胴体部の膨張と収縮状態を示す部分切断正面図である。
【図１１】本発明の第４実施形態に係るクラブカバーが拡張されて展開された状態を示す斜視図である。
【図１２ａ】本発明の第５実施形態に係るクラブカバーの収縮時の正面図である。
【図１２ｂ】本発明の第５実施形態に係るクラブカバーの拡張初期の正面図である。
【図１３】本発明の第５実施形態に係るクラブカバーが拡張されて展開された状態の正面図である。
【図１４ａ】本発明の第６実施形態に係るクラブカバーの収縮位置を示す正面図である。
【図１４ｂ】本発明の第６実施形態に係るクラブカバーの拡張位置を示す正面図である。
【発明を実施するための形態】
【００１１】
本発明の第１実施形態に係るクラブヘッドの出し入れ空間が伸縮できるように内部空間が変化するクラブカバーＡは、図３乃至図８に示すように、上部にクラブヘッドＨの収納されるヘッド収納空間１１が形成され、中間から下部まではクラブヘッドの出入りする胴体部１２が形成され、前記胴体部１２の内部には、クラブヘッドが容易に通過するように広く構成された出し入れ空間部１３が備えられている。
【００１２】
前記胴体部１２は、出し入れ空間部１３が狭くまたは広くなるように作動して互いに近接または離隔する胴体前面１２ａ、胴体後面１２ｂ、及び前記胴体前後面１２ａ、１２ｂ間の両側に連結された胴体側面１２ｃ１、１２ｃ２が含まれている。
【００１３】
本実施形態において、前記胴体部１２の胴体前面１２ａと胴体側面１２ｃ１、１２ｃ２との連結部、及び前記胴体後面１２ｂと胴体側面１２ｃ１、１２ｃ２との連結部にはパイピング部１２１が形成され、前記パイピング部１２１の下部区間には磁石Ｍが挿入されており、前記パイピング部２１の中間区間には磁石ポケット１２２が付着している。前記磁石ポケット１２２は、ポケット連結部１２２ａを介してパイピング部１２１に付着しており、前記ポケット連結部１２２ａの端部に形成されたポケット１２２ｂ内に磁石Ｍが挿入されている。
【００１４】
前記パイピング部１２１の中間部分に付着している磁石ポケット１２２は、図４及び図８に示すように、互いに向かい合う方向に近接するように連結部分が折り曲げられており、収縮時に磁石Ｍ同士の吸着が円滑に行われ得る。
【００１５】
前記胴体前後面１２ａ、１２ｂと胴体側面１２ｃ１、１２ｃ２の磁石ポケット１２２が設置された部分には、同じ平面上の磁石Ｍ間の吸着が防止されて胴体部１２よりも堅いハンドル１５が設置され、前記ハンドル１５は、前記吸着された磁石ポケット１２２間の分離を容易に行うことができる。
【００１６】
以下、このような構造を持つ本発明の第１実施形態に係るクラブヘッドの出し入れ空間が伸縮できるように内部空間が変化するクラブカバーＡの作動を詳細に説明する。
【００１７】
まず、クラブカバーＡ内からクラブヘッドＨが引き出された空き状態でクラブヘッドＨをクラブカバーＡ内に収納しようとする場合には、図５に示すように、互いに離れた状態の前記胴体部１２の胴体前面１２ａと胴体後面１２ｂのパイピング部１２１の吸着状態が解除され、胴体側面１２ｃ１、１２ｃ２が伸びた状態で胴体部１２が広げられて出し入れ空間部１３が拡張された状態で、前記クラブヘッドＨを収納し、広げられていた胴体部１２を狭くなるように押して、伸びた状態の前記胴体側面１２ｃ１、１２ｃ２が不規則に折り畳まれながら、広げられていた前記胴体部１２の胴体前面１２ａと胴体後面１２ｂとが互いに近接する。
【００１８】
このような場合、前記胴体前面１２ａと胴体後面１２ｂの縁部に形成された、互いに対向するパイピング部１２１の中間の磁石ポケット１２２が近接しながら、前記磁石ポケット１２２の磁石Ｍが対応する位置に配置された他側の胴体部１２の磁石ポケット１２２の磁石Ｍに吸着されるので、互いに対応する位置の両側のパイピング部１２１は互いに容易かつ便利に吸着され、前記パイピング部１２１の下部の磁石Ｍも互いに近接しながら磁石Ｍ同士が吸着されることにより、胴体部１２の出し入れ空間部１３が収縮されてクラブヘッドＨがクラブカバーＡ内に収納されるのである。
【００１９】
逆の場合である、クラブカバーＡ内にクラブヘッドＨが収納されている状態でクラブヘッドＨを取り出そうとする場合には、磁石ポケット１２２の磁石Ｍとパイピング部１２１の磁石Ｍとが吸着された状態で、前記胴体前面１２ａと胴体後面１２ｂに広げられる方向に外力を加えると、吸着状態の磁石Ｍが互いに分離されて胴体部１２の出し入れ空間部１３が拡張されるので、容易に拡張された出し入れ空間部１３を介してクラブカバーＡ内からクラブヘッドＨを取り出すことができる。
【００２０】
このようなパイピング部１２１の各磁石Ｍ間の離隔距離が最小化された構造なので、少ない数の磁石を用いても吸着されるので、使用される磁石の数を減らすことができて製造コストが削減されるのはもとより、パイピング部１２１が互いに吸着されているので、広げられた空間がなくなり、異物の付着または吸入が防止されて誤作動のおそれがなく、クラブカバーＡの外観が綺麗で美麗になる。
【００２１】
図９は本発明の第２実施形態によるクラブカバーの胴体部の膨張と収縮状態を示す部分切断正面図である。第２実施形態では、前記パイピング部１２１の中間と下部にそれぞれ磁石ポケット１２２が付着しており、前記磁石ポケット１２２は、パイピング部１２１の下部と中間でそれぞれ離隔するように付着している構造を持ち、やはり磁石ポケット１２２のポケット１２２ｂ内に挿入された磁石Ｍが吸着または解除される過程を介して胴体部１２内の出し入れ空間部１３が拡張または収縮される構造を持つ。
【００２２】
図１０は本発明の第３実施形態によるクラブカバーの胴体部の膨張と収縮状態を示す部分切断正面図である。第３実施形態では、パイピング部１２１に付着している傾斜磁石ポケット１２２は、上下が単一体であって、下部から中間に行くほど広く傾斜するように延びて付着した傾斜ポケット連結部１２２ａの延長端に形成されたポケット１２２ｂの内部に磁石Ｍが収納されている。
【００２３】
前記傾斜磁石ポケット１２２は、両側に対向する前記傾斜磁石ポケットが互いに吸着されている場合には、それらの間に埃や異物が流入する空間がなくなるので、きれいな状態でクラブカバーＡを保管することができるという利点がある。
【００２４】
図１１は本発明の第４実施形態に係るクラブカバーが拡張されて展開された状態を示す斜視図であって、第４実施形態では、胴体部１２の中間に形成されている前記胴体側面１２ｃ１、１２ｃ２のほぼ全部が切り取られた切取り部１６が形成され、胴体前面１２ａと胴体後面１２ｂのみでも機能を行う構造であり、前記胴体側面１２ｃ１、１２ｃ２にメッシュ構造（図示せず）が設置されてもよい。
【００２５】
また、前記パイピング部１２１に設置される磁石Ｍまたは磁石ポケット１２２の代わりに、マジックテープやスナップボタンなどの連結手段が使用されることも可能である。
【００２６】
図１２ａ、図１２ｂ及び図１３は、本発明の第５実施形態に係るクラブカバーの正面図であって、パイピング部１２１から内側に延びた延長保護部１６ａが残存するように切取り部１６が形成され、前記切取り部１６の上部にはさらに切開部１６ｂが形成されており、磁石ポケット１２２はそのまま付着している構造が提案されている。
【００２７】
本実施形態において、前記延長保護部１６ａは、各パイピング部１２１から胴体部１２の中心ｓへ１ｃｍの幅で延びて残存し、残りは切り取られて切取り部１６が形成され、前記延長保護部１６ａの端部には、前記胴体部１２の中心ｓに沿って切開部１６ｂが形成されている。
【００２８】
このような構造のクラブカバーＡは、胴体前面２ａまたは胴体後面１２ｂを外方に引っ張ると、図１３に示すように、切取り部１６が広げられ、その後には切開部１６ｂも広げられて大きいクラブヘッドＨの収納空間が形成されるので、容易にクラブヘッドＨをヘッド収納空間１１内に収納したりクラブヘッドＨをヘッド収納空間１１から取り出したりすることができる。
【００２９】
図１４ａ及び図１４ｂは、本発明の第６実施形態に係るクラブカバーの収縮位置と拡張位置を示す正面図であって、パイピング部１２１から内方に延びた延長保護部１６ａの内側の切取り部１６に伸縮可能なスパン材質の織物類が付着しており、前記胴体前面１２ａと胴体後面１２ｂの収縮位置を拡張することも可能となる。つまり、図１４ａ及び図１４ｂに示すように、伸縮するスパン織物類１５が前記延長保護部１６ａの内側の切取り部１６に付着している場合、平常時には収縮状態に配置され、クラブカバーＡ内にクラブヘッドＨが収納されている。クラブヘッドＨを取り出そうとする場合には、前記胴体前面１２ａと胴体後面１２ｂを引っ張ると、スパン織物類１５が拡張されながら胴体部１２の前記胴体前面１２ａと胴体後面１２ｂとの間隔が拡張されてクラブヘッドＨが通過し易く拡張されるので、容易にクラブヘッドＨを取り出すことができ、クラブヘッドＨの取り出し後には、再びスパン織物類１５が収縮されて収縮位置に復帰するのである。
【００３０】
以上のように、本発明に係る内部空間が変化するクラブカバーは、胴体部の胴体前後面が離隔するように拡張または収縮されることにより、容易にクラブヘッドの引き出しまたは保管が可能になって容易にクラブヘッドの取り出し及び収納が可能であり、クラブヘッドを損傷なく安全に保管することができる。
【産業上の利用可能性】
【００３１】
本発明に係る内部空間が変化するクラブカバーは、一般なクラブカバーの製造産業で同一の製品を反復的に製造することが可能であるので、産業上の利用可能性がある発明である。
【符号の説明】
【００３２】
Ａ    クラブカバー
Ｍ    磁石
１１    ヘッド収納空間
１２    胴体部
１２ａ    胴体前面
１２ｂ    胴体後面
１２ｃ１、１２ｃ２    胴体側面
１３    出し入れ空間部
１５    ハンドル
１２１    パイピング部
１２２    磁石ポケット
１２２ａ    ポケット連結部
１２２ｂ    ポケット
１６    切取り部
１６ａ    延長保護部
１６ｂ    切開部
【図１】
0006979093.tif 000002
【図２】
0006979093.tif 000003
【図３】
0006979093.tif 000004
【図４】
0006979093.tif 000005
【図５】
0006979093.tif 000006
【図６】
0006979093.tif 000007
【図７】
0006979093.tif 000008
【図８】
0006979093.tif 000009
【図９】
0006979093.tif 000010
【図１０】
0006979093.tif 000011
【図１１】
0006979093.tif 000012
【図１２ａ】
0006979093.tif 000013
【図１２ｂ】
0006979093.tif 000014
【図１３】
0006979093.tif 000015
【図１４ａ】
0006979093.tif 000016
【図１４ｂ】
0006979093.tif 000017